(57)【要約】【課題】  給電線の導体をアンテナ回路に接続して給電するアンテナにおいて、共振周波数のずれを極力おさえると共に、給電線の導体とアンテナ回路との接続強度を確保する。【解決手段】  絶縁体で構成された板状の基材３と、基材３の表面に設けられたアンテナ回路５と、アンテナ回路５に導通して基材３の表面に設けられ、アンテナ回路５に電力を供給するための給電線７の導体９、１１と接続される接続部１３、１５とを有し、接続部１３、１５には、給電線７の導体９、１１を位置決めするための第１部位１３Ａ、１５Ａと、給電線７の導体９、１１を接続部１３、１５に堅固に固定するための第２部位１３Ｂ、１５Ｂとが設けられている。【選択図】図１
2005109795.tif 000002
【特許請求の範囲】
【請求項１】
絶縁体で構成された板状の基材と；
上記基材の表面に設けられたアンテナ回路と；
上記アンテナ回路に導通して上記基材の表面に設けられ、上記アンテナ回路に電力を供給するための給電線の導体と接続される接続部と；
を有し、上記接続部には、上記給電線の導体を位置決めするための第１部位と、上記給電線の導体を上記接続部に堅固に固定するための第２部位とが設けられていることを特徴とするアンテナ。
【請求項２】
請求項１に記載のアンテナにおいて、
上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されていることを特徴とするアンテナ。
【請求項３】
請求項２に記載のアンテナにおいて、
上記接続部は、台形状または三角形状に形成され、上記台形状の上底または上記三角形状の頂点が上記第１部位を形成し、上記台形状の下底または上記三角形状の底辺が上記アンテナ回路に接し、上記台形状の下底側または上記三角形状の底辺側が上記第２部位を形成していることを特徴とするアンテナ。
【請求項４】
請求項３に記載のアンテナにおいて、
上記給電線は同軸ケーブルであり、
上記アンテナ回路は、直線状に延びた第１回路とこの第１回路とほぼ平行に延びた第２回路とを具備し、
上記接続部は、上記第１回路と上記第２回路とにそれぞれ設けられており、
上記第１回路に設けられている第１接続部は、三角形状または上底の幅が上記同軸ケーブルの中心導体の外径とほぼ同じである台形状に形成され、上記第２回路に面した上記第１回路の側面に設けられており、
上記第２回路に設けられている第２接続部は、上底の幅が上記同軸ケーブルの外側導体の外径とほぼ同じである台形状に形成され、上記第１回路に面した上記第２回路の側面に設けられており、
上記各接続部は、これらの各接続部に接続される上記同軸ケーブルの延伸方向に配置されていることを特徴とするアンテナ。
【請求項５】
絶縁体で構成された板状の基材と；
上記シート状の基材の表面に設けられたアンテナ回路と；
上記アンテナ回路に電力を供給するための同軸ケーブルと；
上記アンテナ回路に導通して上記基材の表面に設けられ、上記同軸ケーブルの導体と接続される接続部と；
を有し、上記接続部には、上記同軸ケーブルの導体を位置決めするための第１部位と、上記同軸ケーブルの導体を上記接続部に堅固に固定するための第２部位とが設けられ、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、
上記接続部は、台形状または三角形状に形成され、上記台形状の上底または上記三角形状の頂点が上記第１部位を形成し、上記台形状の下底または上記三角形状の底辺が上記アンテナ回路に接し、上記台形状の下底側または上記三角形状の底辺側が上記第２部位を形成しており、
上記アンテナ回路は、直線状に延びた第１回路と、この第１回路とほぼ平行に延びた第２回路とを具備し、
上記接続部は、上記第１回路と上記第２回路とにそれぞれ設けられており、
上記第１回路に設けられている第１接続部は、三角形状または上底の幅が上記同軸ケーブルの中心導体の外径とほぼ同じである台形状に形成され、上記第２回路に面した上記第１回路の側面に設けられており、
上記第２回路に設けられている第２接続部は、上底の幅が上記同軸ケーブルの外側導体の外径とほぼ同じである台形状に形成され、上記第１回路に面した上記第２回路の側面に設けられており、
上記各接続部は、これらの各接続部に接続される上記同軸ケーブルの延伸方向に配置されていることを特徴とするアンテナ。
【請求項６】
絶縁体で構成された板状の基材と；
上記基材の表面に設けられたアンテナ回路と；
上記アンテナ回路の表面に設けられ、上記アンテナ回路に電力を供給するための給電線の導体と接続される接続部と；
上記接続部を識別するために上記アンテナ回路の表面に被覆された絶縁層と；
を有し、上記接続部には、上記給電線の導体を位置決めするための第１部位と、上記給電線の導体を上記接続部に堅固に固定するための第２部位とが設けられていることを特徴とするアンテナ。
【請求項７】
請求項６に記載のアンテナにおいて、
上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されていることを特徴とするアンテナ。
【請求項８】
請求項７に記載のアンテナにおいて、
上記接続部は、台形状または三角形状に形成され、上記台形状の上底または上記三角形状の頂点が上記第１部位を形成し、上記台形状の下底側または上記三角形状の底辺側が上記第２部位を形成していることを特徴とするアンテナ。
【請求項９】
請求項８に記載のアンテナにおいて、
上記給電線は同軸ケーブルであり、
上記アンテナ回路は、直線状に延びた第１回路とこの第１回路とほぼ平行に延びた第２回路とを具備し、
上記接続部は、上記第１回路と上記第２回路とにそれぞれ設けられており、
上記第１回路に設けられている第１接続部は、三角形状または上底の幅が上記同軸ケーブルの中心導体の外径とほぼ同じである台形状に形成され、上記第２回路に面した側に上記三角形状の頂点または上記台形状の上底が位置し、上記第２回路とは反対側に上記三角形状の底辺または上記台形状の下底が位置するように設けられており、
上記第２回路に設けられている第２接続部は、上底の幅が上記同軸ケーブルの外側導体の外径とほぼ同じである台形状に形成され、上記第１回路に面した側に上記台形状の上底が位置し、上記第１回路とは反対側に上記台形状の下底が位置するように設けられており、
上記各接続部は、これらの各接続部に接続される上記同軸ケーブルの延伸方向に配置されていることを特徴とするアンテナ。
【請求項１０】
絶縁体で構成された板状の基材と；
上記基材の表面に設けられたアンテナ回路と；
上記アンテナ回路に電力を供給するための同軸ケーブルと；
上記アンテナ回路の表面に設けられ、上記同軸ケーブルの導体と接続される接続部と；
上記接続部を識別するために上記アンテナ回路の表面に被覆された絶縁層と；
を有し、上記接続部には、上記同軸ケーブルの導体を位置決めするための第１部位と、上記同軸ケーブルの導体を上記接続部に堅固に固定するための第２部位とが設けられており、
上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、
上記接続部は、台形状または三角形状に形成され、上記台形状の上底または上記三角形状の頂点が上記第１部位を形成し、上記台形状の下底側または上記三角形状の底辺側が上記第２部位を形成しており、
上記アンテナ回路は、直線状に延びた第１回路と、この第１回路とほぼ平行に延びた第２回路とを具備し、
上記接続部は、上記第１回路と上記第２回路とにそれぞれ設けられており、
上記第１回路に設けられている第１接続部は、三角形状または上底の幅が上記同軸ケーブルの中心導体の外径とほぼ同じである台形状に形成され、上記第２回路に面した側に上記三角形状の頂点または上記台形状の上底が位置し、上記第２回路とは反対側に上記三角形状の底辺または上記台形状の下底が位置するように設けられており、
上記第２回路に設けられている第２接続部は、上底の幅が上記同軸ケーブルの外側導体の外径とほぼ同じである台形状に形成され、上記第１回路に面した側に上記台形状の上底が位置し、上記第１回路とは反対側に上記台形状の下底が位置するように設けられており、
上記各接続部は、これらの各接続部に接続される上記同軸ケーブルの延伸方向に配置されていることを特徴とするアンテナ。
【請求項１１】
請求項７に記載のアンテナにおいて、
上記接続部は、互いの形状が同じであり上底よりも下底のほうが長い２つの二等辺台形の各下底を互いに合わせて六角形状に形成され、上記六角形状を形成している上記２つの二等辺台形の各上底が上記第１部位を形成し、上記六角形状を形成している上記２つの二等辺台形の下底側が上記第２部位を形成していることを特徴とするアンテナ。
【請求項１２】
請求項１１に記載のアンテナにおいて、
上記給電線は同軸ケーブルであり、
上記アンテナ回路は、直線状に延びた第１回路と、この第１回路とほぼ平行に延びた第２回路とを具備し、
上記接続部は、上記第１回路と上記第２回路とにそれぞれ設けられており、
上記第１回路に設けられている第１接続部は、上底の幅が上記同軸ケーブルの中心導体の外径とほぼ同じである二等辺台形で六角形状に形成されており、
上記第２回路に設けられている第２接続部は、上底の幅が上記同軸ケーブルの外側導体の外径とほぼ同じである二等辺台形で六角形状に形成されており、
上記各接続部は、これらの各接続部に接続される上記同軸ケーブルの延伸方向に配置されていることを特徴とするアンテナ。
【請求項１３】
絶縁体で構成された板状の基材と；
上記基材の表面に設けられたアンテナ回路と；
上記アンテナ回路に電力を供給するための同軸ケーブルと；
上記アンテナ回路の表面に設けられ、上記同軸ケーブルの導体と接続される接続部と；
上記接続部を識別するために上記アンテナ回路の表面に被覆された絶縁層と；
を有し、上記接続部には、上記同軸ケーブルの導体を位置決めするための第１部位と、上記同軸ケーブルの導体を上記接続部に堅固に固定するための第２部位とが設けられており、
上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、
上記接続部は、互いの形状が同じであり上底よりも下底のほうが長い２つの二等辺台形の各下底を互いに合わせて六角形状に形成され、上記六角形状を形成している上記２つの二等辺台形の各上底が上記第１部位を形成し、上記六角形状を形成している上記２つの二等辺台形の下底側が上記第２部位を形成しており、
上記アンテナ回路は、直線状に延びた第１回路と、この第１回路とほぼ平行に延びた第２回路とを具備し、
上記接続部は、上記第１回路と上記第２回路とにそれぞれ設けられており、
上記第１回路に設けられている第１接続部は、上底の幅が上記同軸ケーブルの中心導体の外径とほぼ同じである二等辺台形で六角形状に形成されており、
上記第２回路に設けられている第２接続部は、上底の幅が上記同軸ケーブルの外側導体の外径とほぼ同じである二等辺台形で六角形状に形成されており、
上記各接続部は、これらの各接続部に接続される上記同軸ケーブルの延伸方向に配置されていることを特徴とするアンテナ。
【発明の詳細な説明】
【技術分野】
【０００１】
本発明は、アンテナに係り、特に、上記アンテナのアンテナ回路に給電線の導体を接続する際、上記アンテナ回路と上記導体との相対的な位置関係を正確に、しかも、上記導体を上記アンテナ回路にしっかりと接続することができるものに関する。
【背景技術】
【０００２】
パソコン等の機器に内蔵されて使用されるアンテナとして、平面状のアンテナ（平面アンテナ）が多く採用されている。平面アンテナは、非常に薄く形成することができるため、設置スペースの限られた上記機器への設置が容易である。
【０００３】
また、上記平面アンテナのアンテナ回路には、同軸ケーブル等の給電線によって電力が供給されるようになっており、この供給のために、同軸ケーブルの導体が上記アンテナ回路に接続される。
【０００４】
ところで、上記平面アンテナ等に同軸ケーブル等で給電する場合、同軸ケーブル等の導体とアンテナのアンテナ回路との接続位置を正確な位置にすることが重要である。上記接続位置がずれてしまうと、上記アンテナの共振周波数が変化し、さらに、共振周波数が大きくずれるとアンテナとして使用することができなくなる。
【０００５】
そこで、図１７に示すように、アンテナ回路１０２に矩形状の接続部（同軸ケーブル１０８等の導体１１０、１１２をたとえばはんだを用いて接続するための接続部）１０４、１０６を設け、上記同軸ケーブル１０８等の上記アンテナ回路１０２への接続を容易にし、また、上記同軸ケーブル１０８等の接続位置を安定させることができるアンテナ１００が知られている（たとえば、特許文献１参照）。
【特許文献１】特開２００３−１５２４３０号公報  第６図
【発明の開示】
【発明が解決しようとする課題】
【０００６】
ところで、上記接続部１０４、１０６を備えたアンテナ１００では、同軸ケーブル１０８等の給電線の導体１１０、１１２をアンテナ回路１０２に接続する場合、接続位置を目視することができるので、接続位置を誤るおそれはほとんど無い。
【０００７】
しかし、上記導体１１０、１１２を、たとえば、はんだ付け用のフィレット部を十分に確保して丈夫にはんだ付けするために、上記導体１１０、１１２の大きさに比べて上記接続部１０４、１０６の大きさが大きく形成されており、したがって、上記接続部１０４、１０６の範囲内で、上記導体１１０、１１２の位置関係が僅かにずれることがある。
【０００８】
そして、上記アンテナ回路１０２（接続部１０４、１０６）と上記導体１１０、１１２との相対的な位置が僅かにずれると、上記アンテナ１００の共振周波数が所望の周波数（設計上の周波数）からずれてしまうという問題がある。
【０００９】
なお、最近では、アンテナが使用される機器の小型化に伴いアンテナをできるだけ小型化する傾向にあり、アンテナを小型化すると、アンテナ回路の接続部と同軸ケーブルの導体との間の僅かな位置ずれにより、アンテナ（アンテナ回路１０２や基材１１４）での電流分布が急激に変化し共振周波数が大きく変化して、上記問題は、一層顕著になる。
【００１０】
一方、上記接続部１０４、１０６の大きさを小さくすると、上述したように、たとえば、はんだ付けする際のフィレット部を十分に確保することができず、アンテナ回路１０２（接続部１０４、１０６）と、同軸ケーブル１０８（導体１１０、１１２）との接続強度が弱くなるという問題がある。
【００１１】
本発明は、上記問題点に鑑みてなされたものであり、給電線の導体をアンテナ回路に接続して給電するアンテナにおいて、共振周波数のずれを極力おさえると共に、給電線の導体とアンテナ回路との接続強度を確保することができるアンテナを供給することを目的とする。
【課題を解決するための手段】
【００１２】
請求項１に記載の発明は、絶縁体で構成された板状の基材と、上記基材の表面に設けられたアンテナ回路と、上記アンテナ回路に導通して上記基材の表面に設けられ、上記アンテナ回路に電力を供給するための給電線の導体と接続される接続部とを有し、上記接続部には、上記給電線の導体を位置決めするための第１部位と、上記給電線の導体を上記接続部に堅固に固定するための第２部位とが設けられているアンテナである。
【００１３】
請求項２に記載の発明は、請求項１に記載のアンテナにおいて、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されているアンテナである。
【００１４】
請求項３に記載の発明は、請求項２に記載のアンテナにおいて、上記接続部は、台形状または三角形状に形成され、上記台形状の上底または上記三角形状の頂点が上記第１部位を形成し、上記台形状の下底または上記三角形状の底辺が上記アンテナ回路に接し、上記台形状の下底側または上記三角形状の底辺側が上記第２部位を形成しているアンテナである。
【００１５】
請求項４に記載の発明は、請求項３に記載のアンテナにおいて、上記給電線は同軸ケーブルであり、上記アンテナ回路は、直線状に延びた第１回路とこの第１回路とほぼ平行に延びた第２回路とを具備し、上記接続部は、上記第１回路と上記第２回路とにそれぞれ設けられており、上記第１回路に設けられている第１接続部は、三角形状または上底の幅が上記同軸ケーブルの中心導体の外径とほぼ同じである台形状に形成され、上記第２回路に面した上記第１回路の側面に設けられており、上記第２回路に設けられている第２接続部は、上底の幅が上記同軸ケーブルの外側導体の外径とほぼ同じである台形状に形成され、上記第１回路に面した上記第２回路の側面に設けられており、上記各接続部は、これらの各接続部に接続される上記同軸ケーブルの延伸方向に配置されているアンテナである。
【００１６】
請求項５に記載の発明は、絶縁体で構成された板状の基材と、上記シート状の基材の表面に設けられたアンテナ回路と、上記アンテナ回路に電力を供給するための同軸ケーブルと、上記アンテナ回路に導通して上記基材の表面に設けられ、上記同軸ケーブルの導体と接続される接続部とを有し、上記接続部には、上記同軸ケーブルの導体を位置決めするための第１部位と、上記同軸ケーブルの導体を上記接続部に堅固に固定するための第２部位とが設けられ、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、上記接続部は、台形状または三角形状に形成され、上記台形状の上底または上記三角形状の頂点が上記第１部位を形成し、上記台形状の下底または上記三角形状の底辺が上記アンテナ回路に接し、上記台形状の下底側または上記三角形状の底辺側が上記第２部位を形成しており、上記アンテナ回路は、直線状に延びた第１回路と、この第１回路とほぼ平行に延びた第２回路とを具備し、上記接続部は、上記第１回路と上記第２回路とにそれぞれ設けられており、上記第１回路に設けられている第１接続部は、三角形状または上底の幅が上記同軸ケーブルの中心導体の外径とほぼ同じである台形状に形成され、上記第２回路に面した上記第１回路の側面に設けられており、上記第２回路に設けられている第２接続部は、上底の幅が上記同軸ケーブルの外側導体の外径とほぼ同じである台形状に形成され、上記第１回路に面した上記第２回路の側面に設けられており、上記各接続部は、これらの各接続部に接続される上記同軸ケーブルの延伸方向に配置されているアンテナである。
【００１７】
請求項６に記載の発明は、絶縁体で構成された板状の基材と、上記基材の表面に設けられたアンテナ回路と、上記アンテナ回路の表面に設けられ、上記アンテナ回路に電力を供給するための給電線の導体と接続される接続部と、上記接続部を識別するために上記アンテナ回路の表面に被覆された絶縁層とを有し、上記接続部には、上記給電線の導体を位置決めするための第１部位と、上記給電線の導体を上記接続部に堅固に固定するための第２部位とが設けられているアンテナである。
【００１８】
請求項７に記載の発明は、請求項６に記載のアンテナにおいて、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されているアンテナである。
【００１９】
請求項８に記載の発明は、請求項７に記載のアンテナにおいて、上記接続部は、台形状または三角形状に形成され、上記台形状の上底または上記三角形状の頂点が上記第１部位を形成し、上記台形状の下底側または上記三角形状の底辺側が上記第２部位を形成しているアンテナである。
【００２０】
請求項９に記載の発明は、請求項８に記載のアンテナにおいて、上記給電線は同軸ケーブルであり、上記アンテナ回路は、直線状に延びた第１回路とこの第１回路とほぼ平行に延びた第２回路とを具備し、上記接続部は、上記第１回路と上記第２回路とにそれぞれ設けられており、上記第１回路に設けられている第１接続部は、三角形状または上底の幅が上記同軸ケーブルの中心導体の外径とほぼ同じである台形状に形成され、上記第２回路に面した側に上記三角形状の頂点または上記台形状の上底が位置し、上記第２回路とは反対側に上記三角形状の底辺または上記台形状の下底が位置するように設けられており、上記第２回路に設けられている第２接続部は、上底の幅が上記同軸ケーブルの外側導体の外径とほぼ同じである台形状に形成され、上記第１回路に面した側に上記台形状の上底が位置し、上記第１回路とは反対側に上記台形状の下底が位置するように設けられており、上記各接続部は、これらの各接続部に接続される上記同軸ケーブルの延伸方向に配置されているアンテナである。
【００２１】
請求項１０に記載の発明は、絶縁体で構成された板状の基材と、上記基材の表面に設けられたアンテナ回路と、上記アンテナ回路に電力を供給するための同軸ケーブルと、上記アンテナ回路の表面に設けられ、上記同軸ケーブルの導体と接続される接続部と、上記接続部を識別するために上記アンテナ回路の表面に被覆された絶縁層とを有し、上記接続部には、上記同軸ケーブルの導体を位置決めするための第１部位と、上記同軸ケーブルの導体を上記接続部に堅固に固定するための第２部位とが設けられており、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、上記接続部は、台形状または三角形状に形成され、上記台形状の上底または上記三角形状の頂点が上記第１部位を形成し、上記台形状の下底側または上記三角形状の底辺側が上記第２部位を形成しており、上記アンテナ回路は、直線状に延びた第１回路と、この第１回路とほぼ平行に延びた第２回路とを具備し、上記接続部は、上記第１回路と上記第２回路とにそれぞれ設けられており、上記第１回路に設けられている第１接続部は、三角形状または上底の幅が上記同軸ケーブルの中心導体の外径とほぼ同じである台形状に形成され、上記第２回路に面した側に上記三角形状の頂点または上記台形状の上底が位置し、上記第２回路とは反対側に上記三角形状の底辺または上記台形状の下底が位置するように設けられており、上記第２回路に設けられている第２接続部は、上底の幅が上記同軸ケーブルの外側導体の外径とほぼ同じである台形状に形成され、上記第１回路に面した側に上記台形状の上底が位置し、上記第１回路とは反対側に上記台形状の下底が位置するように設けられており、上記各接続部は、これらの各接続部に接続される上記同軸ケーブルの延伸方向に配置されているアンテナである。
【００２２】
請求項１１に記載の発明は、請求項７に記載のアンテナにおいて、上記接続部は、互いの形状が同じであり上底よりも下底のほうが長い２つの二等辺台形の各下底を互いに合わせて六角形状に形成され、上記六角形状を形成している上記２つの二等辺台形の各上底が上記第１部位を形成し、上記六角形状を形成している上記２つの二等辺台形の下底側が上記第２部位を形成しているアンテナである。
【００２３】
請求項１２に記載の発明は、請求項１１に記載のアンテナにおいて、上記給電線は同軸ケーブルであり、上記アンテナ回路は、直線状に延びた第１回路と、この第１回路とほぼ平行に延びた第２回路とを具備し、上記接続部は、上記第１回路と上記第２回路とにそれぞれ設けられており、上記第１回路に設けられている第１接続部は、上底の幅が上記同軸ケーブルの中心導体の外径とほぼ同じである二等辺台形で六角形状に形成されており、上記第２回路に設けられている第２接続部は、上底の幅が上記同軸ケーブルの外側導体の外径とほぼ同じである二等辺台形で六角形状に形成されており、上記各接続部は、これらの各接続部に接続される上記同軸ケーブルの延伸方向に配置されているアンテナである。
【００２４】
請求項１３に記載の発明は、絶縁体で構成された板状の基材と、上記基材の表面に設けられたアンテナ回路と、上記アンテナ回路に電力を供給するための同軸ケーブルと、上記アンテナ回路の表面に設けられ、上記同軸ケーブルの導体と接続される接続部と、上記接続部を識別するために上記アンテナ回路の表面に被覆された絶縁層とを有し、上記接続部には、上記同軸ケーブルの導体を位置決めするための第１部位と、上記同軸ケーブルの導体を上記接続部に堅固に固定するための第２部位とが設けられており、上記第１部位と上記第２部位とは、上記接続部に接続される上記導体の延伸方向に配置されて設けられており、上記第１部位は、上記導体の外径とほぼ同じ幅に形成されており、上記第２部位は、上記第１部位よりも幅広く形成されており、上記接続部は、互いの形状が同じであり上底よりも下底のほうが長い２つの二等辺台形の各下底を互いに合わせて六角形状に形成され、上記六角形状を形成している上記２つの二等辺台形の各上底が上記第１部位を形成し、上記六角形状を形成している上記２つの二等辺台形の下底側が上記第２部位を形成しており、上記アンテナ回路は、直線状に延びた第１回路と、この第１回路とほぼ平行に延びた第２回路とを具備し、上記接続部は、上記第１回路と上記第２回路とにそれぞれ設けられており、上記第１回路に設けられている第１接続部は、上底の幅が上記同軸ケーブルの中心導体の外径とほぼ同じである二等辺台形で六角形状に形成されており、上記第２回路に設けられている第２接続部は、上底の幅が上記同軸ケーブルの外側導体の外径とほぼ同じである二等辺台形で六角形状に形成されており、上記各接続部は、これらの各接続部に接続される上記同軸ケーブルの延伸方向に配置されているアンテナである。
【発明の効果】
【００２５】
本発明によれば、給電線の導体をアンテナ回路に接続して給電するアンテナにおいて、共振周波数のずれを極力おさえると共に、給電線の導体とアンテナ回路との接続強度を確保することができるという効果を奏する。
【発明を実施するための最良の形態】
【００２６】
［第１の実施形態］
図1は、本発明の第１の実施形態に係るアンテナ１の概略構成を示す図である。
【００２７】
アンテナ１は、ポリイミド系の樹脂等の絶縁体（誘電体）で、たとえば可撓性を備えるように薄く形成された板状の基材３を備え、この基材３の表面（ひょうめん）には、アンテナ回路５が長く延びて薄く設けられている。上記アンテナ回路５は、銅等の導体で構成され、たとえばエッチング等によって形成されている。
【００２８】
また、接続部１３、１５が上記アンテナ回路５に導通して上記基材３の表面に設けられている。上記各接続部１３、１５は、上記アンテナ回路５に電力を供給するための給電線（たとえば同軸ケーブル７）の各導体（中心導体９、外側導体１１）と、電気的かつ機械的に接続されるようになっている。なお、図１では、接続部１３に中心導体９が接続され、接続部１５に外側導体１１が接続され、アンテナ回路５が、同軸ケーブル７の各導体９、１１と導通している状態が示されている。各接続部１３、１５は、たとえばエッチング等によって、アンテナ回路５と同時にしかもほぼ同様に薄く形成されている。
【００２９】
上記接続部１３には、上記同軸ケーブル７の中心導体９を位置決めするための第１部位１３Ａと、上記同軸ケーブル７の中心導体９を上記接続部１３に堅固に固定するための第２部位１３Ｂとが設けられている。上記接続部１５にも同様に、上記同軸ケーブル７の外側導体１１を位置決めするための第１部位１５Ａと、上記同軸ケーブル７の外側導体１１を上記接続部１５に堅固に固定するための第２部位１５Ｂとが設けられている。
【００３０】
上記接続部１３の上記第１部位１３Ａと上記第２部位１３Ｂとは、上記接続部１３に接続される上記中心導体（内側導体）９の延伸方向に沿い並んで配置されて設けられており、上記第１部位１３Ａは、上記中心導体９の外径とほぼ同じ幅に形成され、上記第２部位１３Ｂは、上記第１部位１３Ａよりも幅広く形成されている。一方、上記接続部１５の上記第１部位１５Ａと上記第２部位１５Ｂも同様に、上記接続部１５に接続される上記外側導体１１の延伸方向に沿い並んで配置されて設けられており、上記第１部位１５Ａは、上記外側導体１１の外径とほぼ同じ幅に形成され、上記第２部位１５Ｂは、上記第１部位１５Ａよりも幅広く形成されている。
【００３１】
ここで、上記同軸ケーブル７の各導体９、１１の上記各接続部１３、１５への接続状態について説明する。
【００３２】
図２は、図１におけるＩＩＡ−ＩＩＢ断面を示す図であり、図３は、図１におけるＩＩＩＡ−ＩＩＩＢ断面を示す図であり、図４は、図１におけるＩＶＡ−ＩＶＢ断面を示す図であり、図５は、図１におけるＶＡ−ＶＢ断面を示す図である。
【００３３】
上記導体１１は、たとえば、はんだ付けすることによって、上記接続部１５に接続され固定されている。図２に示すように、接続部１５の第１部位１５Ａは、この幅が狭いために、はんだのフィレット部Ｆ１が十分な大きさに形成されていないが、図３に示すように、接続部１５の第２部位１５Ｂは、この幅が広いために、はんだのフィレット部Ｆ３が十分な大きさに形成されており、したがって、接続部１５の第２部位１５Ｂでは、同軸ケーブル７の外側導体１１を上記接続部１５へ堅固に取り付けることができるようになっている。
【００３４】
同様に、上記導体９も、たとえば、はんだ付けすることによって、上記各接続部１３に接続固定されている。図４に示すように、接続部１３の第１部位１３Ａは、この幅が狭いためにはんだのフィレット部Ｆ５が十分な大きさに形成されていないが、図５に示すように、接続部１３の第２部位１３Ｂは、この幅が広いためにはんだのフィレット部Ｆ７が十分な大きさに形成されており、したがって、接続部１３の第２部位１３Ｂでは、同軸ケーブル７の中心導体９を上記接続部１３へ堅固に取り付けることができるようになっている。
【００３５】
上記接続部１３は、たとえば、２つの斜辺の長さがほぼ等しい二等辺三角形状に形成され、上記三角形状の頂点が上記第１部位１３Ａを形成し、上記三角形状の底辺が上記アンテナ回路５に接し、上記三角形状の底辺側が上記第２部位１３Ｂを形成している。なお、上記三角形状は、必ずしも二等辺三角形である必要はなく、アンテナの形態に応じて、適宜の形状の三角形に変えてよい。
【００３６】
また、上記三角形状に代えて、台形形状（たとえば、接続部に接続される導体の延伸方向の中心線に対してほぼ対称な台形状；２つの斜辺の長さがほぼ等しく、したがって上底の中点と下底の中点とを互いに結ぶ直線に対して線対称な台形形状；二等辺台形状）を採用してもよい。この場合、上記台形状の上底が上記第１部位を形成し、上記台形状の下底（上記上底よりも幅広く形成された下底）が上記アンテナ回路５に接し、上記台形状の下底（上記上底よりも幅広く形成された下底）側が上記第２部位を形成するものとする。
【００３７】
また、上記接続部１５は、たとえば、上述した台形形状に形成されており、上記台形状の上底が上記第１部位１５Ａを形成し、上記台形状の下底（上記上底よりも幅広く形成された下底）が上記アンテナ回路５に接し、上記台形状の下底側が上記第２部位１５Ｂを形成している。
【００３８】
ここで、具体例を掲げて、上記アンテナ１についてより詳しく説明する。
【００３９】
上記アンテナ回路５は、直線状に延びた第１回路５Ａとこの第１回路５Ａとほぼ平行に延びた第２回路５Ｂとを具備し、上記各接続部１３、１５は、上記第１回路５Ａと上記第２回路５Ｂとにそれぞれ設けられている。
【００４０】
図１に示すように、上記第１回路５Ａに設けられている第１接続部１３は、上述したように、三角形状に形成されている。なお、上底の幅が上記同軸ケーブル７の中心導体９の外径とほぼ同じである台形状に形成されていてもよい。また、接続部１３は、上記第２回路５Ｂに面した上記第１回路５Ａの側面に突出して設けられている。
【００４１】
上記第２回路に設けられている第２接続部１５は、上述したように、上底の幅が上記同軸ケーブル７の外側導体１１の外径とほぼ同じである台形状に形成され、上記第１回路５Ａに面した上記第２回路５Ｂの側面に突出して設けられている。したがって、上記各接続部１３、１５において、上記第１接続部１３の三角形状の頂点と上記第２接続部１５の台形状の上底とが互いに最も接近している。
【００４２】
なお、上記各接続部１３、１５は、これらの各接続部１３、１５に接続される上記同軸ケーブル７の延伸方向に沿い並んで配置されており、また、上記アンテナ回路５、上記各接続部１３、１５は、上記基材３の一方の面に設けられている。
【００４３】
ここで、同軸ケーブル７について簡単に説明する。
【００４４】
上記同軸ケーブル７は、図１に示すように、中心導体９と、この中心導体９を被覆する被覆材１７と、この被覆材１７の外周に設けられた外側導体１１と、この外側導体１１を被覆するように外側に設けられたシース１９とから構成されている。なお、上記被覆材１７、上記シース１９は、絶縁体で構成されている。
【００４５】
上記同軸ケーブル７を上記アンテナ回路５に接続する場合には、上記同軸ケーブル７の先端面７Ａ側で上記同軸ケーブル７の先端面７Ａから所定の長さだけシース１９を除去して外側導体１１を露出させ、シースが除去された所定の長さよりも短い所定の長さだけ外側導体１１を除去して被覆材１７を露出させ、さらに、外側導体１１が除去された所定の長さよりも短い所定の長さだけ被覆材１７を除去して中心導体を９を露出させてある。すなわち、上記同軸ケーブル７の上記先端面７Ａから順に、ある程度の長さづつ、中心導体９、被覆材１７、外側導体１１が露出している。
【００４６】
そして、上記同軸ケーブル７の中心導体９が上記第１接続部１３に当接し、上記同軸ケーブル７の外側導体１１が上記第２接続部１５に当接するようにして、上記同軸ケーブル７を上記アンテナ回路５（接続部１３、１５）の所定の位置に接続すると、上記中心導体９の基端部側（上記被覆材１９側）が、上記第１接続部１３の第１部位１３Ａである三角形の頂点に位置し、上記中心導体９の先端部側が、上記第１接続部１３の第２部位１３Ｂである三角形の底辺側に位置し、上記外側導体１１の先端部側（上記被覆材１７が露出している側；上記中心導体９が露出している側）が、上記第２接続部１５の第１部位１５Ａである台形の上底に位置し、上記外側導体１１の基端部側（上記シース１９側）が、上記第２接続部１５の第２部位１５Ｂである台形の下底側に位置して、上記同軸ケーブル７が上記アンテナ回路５に接続される。
【００４７】
なお、第１接続部１３の第１部位（三角形の頂点）１３Ａ、第１接続部１３の第２部位（三角形の底辺）１３Ｂ、第２接続部１５の第１部位（台形の上底）１５Ａ、第２接続部１５の第２部位（台形の下底）１５Ｂが、上記同軸ケーブル７（中心導体９；外側導体１１）の延伸方向に並んで配置されており、また、上記三角形の底辺、上記台形の上底、上記台形の下底は、互いに平行であり、上記同軸ケーブル７（中心導体９；外側導体１１）の延伸方向とは、交差する方向（たとえば直交する方向）に延伸している。
【００４８】
また、アンテナ１では、互いが平行なアンテナの回路５Ａ、５Ｂの延伸方向と上記同軸ケーブル７との延伸方向とがほぼ直交しているが、必ずしも直交している必要はなく、図６に示すように、互いが平行なアンテナの回路５Ａ、５Ｂの延伸方向と同軸ケーブル７との延伸方向とが斜めに交差していてもよい。この場合、互いが平行なアンテナの回路５Ａ、５Ｂの延伸方向と上記同軸ケーブル７との延伸方向との交差角に応じて、各接続部の位置や形状等が適宜変更されるものとする。
【００４９】
次に、アンテナ１に同軸ケーブル７を接続する場合について説明する。
【００５０】
アンテナ回路５と各接続部１３、１５が形成された基材３に、所定の長さだけ中心導体９、被覆材１７、外側導体１１が露出している同軸ケーブル７を位置決めして設置する。この位置決めにおいては、上記第１接続部１３の第１部位１３Ａと上記中心導体９とが幅方向（外径方向）で互いにほぼ一致するようにし、上記中心導体９の先端部側が所定の長さだけ上記第２部位１３Ｂ側に延伸するようにする。また、上記第２接続部１５の第１部位１５Ａと上記外側導体１１とが幅方向（外径方向）で互いにほぼ一致するようにし、上記外側導体１１の基端部側（シース１９側）が所定の長さだけ上記第２部位１５Ｂ側に延伸するようにする。
【００５１】
この位置決め設置後、たとえばはんだによって、上記各導体９、１１を上記各接続部１３、１５に固定する。この場合、上記各第２部位１３Ｂ、１５Ｂでは、接続強度を大きくするために、はんだのフィレット部を十分に設ける（図３、図５参照）。なお、上記位置決めや固定は、手作業で行ってもよいし、画像処理装置等を用いて自動的に行ってもよい。
【００５２】
そして、図示しないアンテナ駆動回路から、同軸ケーブル７を介してアンテナ回路５に給電すると、アンテナ１が所定の共振周波数を発生する。
【００５３】
アンテナ１によれば、同軸ケーブル７の導体９、１１を接続するための接続部１３、１５に、上記同軸ケーブル７の導体９、１１を位置決めするための第１部位１３Ａ、１５Ａと、上記同軸ケーブル７の導体９、１１を上記接続部１３、１５に堅固に固定するための第２部位１３Ｂ、１５Ｂとが設けられているので、アンテナ回路５（接続部１３、１５）に対する同軸ケーブル７の位置決めと接続強度とをそれぞれの部位が分担することができ、アンテナ回路５（接続部１３、１５）に対して同軸ケーブル７を正確に位置決めして上記アンテナ１の共振周波数の周波数の値のずれを極力おさえることができると共に、同軸ケーブル７の導体９、１１とアンテナ回路５（接続部１３、１５）との接続強度を確保することができる。
【００５４】
また、アンテナ１によれば、上記接続部１３の上記第１部位１３Ａが、三角形状の頂点または中心導体９の外径とほぼ同じ幅の上底の台形状の上記上底で形成されているので、上記同軸ケーブル７の中心導体９をアンテナ回路５に対して位置決めする場合、上記中心導体９を上記第１部位１３Ａに重ね合わせて、たとえば、目視で正確に位置決めすることができる。接続部１３が台形状に形成されている場合において、この台形状の接続部の第１部位（上底）の幅を上記中心導体９の外径よりも僅かに広く形成すれば、上記第１部位のところでも上記中心導体９を上記第１部位に接続することができ、上記中心導体９がずれないように、一層正確に位置決め保持することができ、一層正確な共振周波数を得ることができる。なお、中心導体９だけでなく、同軸ケーブル７の外側導体１１に関しても同様である。
【００５５】
また、アンテナ１によれば、接続部１３、１５が三角形状や台形状等の直線を組み合わせた簡素な形状に構成されているので、接続部１３、１５の第１部位の位置を識別することが容易になっており、特に、画像処理装置等を用いて、上記同軸ケーブル７の中心導体９や外側導体１１を上記接続部１３、１５に対して自動的に位置決めする場合、上記画像処理装置による接続部の識別動作（プログラム）等を簡素にすることができ、自動化が容易になる。
【００５６】
また、アンテナ１では、アンテナ回路５の第１回路５Ａと第２回路５Ｂとが互いに平行に延伸している。上記アンテナ１は、上記同軸ケーブル７から給電することにより、上記第１回路５Ａと上記第２回路５Ｂとの間（「コ」字状のアンテナ回路５の内側）における上記基材３に高周波電流が流れることによっても、共振周波数を発生する。したがって、上記第１回路５Ａと上記第２回路５Ｂとの間における基材３の静電容量（キャパシタンス）が変化すると、アンテナ１の共振周波数がずれる。上記第１回路５Ａと上記第２回路５Ｂとの間における基材３の静電容量は、特に、上記同軸ケーブル７の中心導体９と上記中心導体用の接続部１３の第１部位（上記平行している第２回路５Ｂに最も近い部位）１３Ａとの位置関係、上記同軸ケーブル７の外側導体１１と上記外側導体用の接続部１５の第１部位（上記平行している第１回路に最も近い部位）１５Ａとの位置関係がずれると、変化しやすいものである。
【００５７】
しかし、アンテナ１によれば、上記同軸ケーブル７の中心導体９と上記中心導体用の接続部１３の第１部位１３Ａとの位置関係、上記同軸ケーブル７の外側導体１１と上記外側導体用の接続部１５の第１部位１５Ａとの位置関係を正確なものにすることが容易であるので、一層正確な共振周波数を容易に得ることができる。
【００５８】
なお、上記接続部１３の形状を図７〜図９（図１のＶＩＩ部に相当）に示すように適宜変更してもよい。
【００５９】
すなわち図７に示すように、接続部の形状を長方形状とし、中心導体９を位置決めするための凸部１３Ｃを設けてもよいし、また、図８に示すように、中心導体９を位置決めするための凸部１３Ｄを設けてもよい。さらに、図９に示すように、接続部の形状を円の一部で形成された形状（たとえば半円状）に形成し、中心導体９を位置決めするための凸部１３Ｃを設けてもよい。なお、同軸ケーブル７の外側導体１１の接続部１５の形状も同様に変更することができる。
【００６０】
また、図１０に示すように「コ」字状のアンテナ回路５に加えて、第１回路５Ａと第２回路５Ｂとの間に、これらの回路５Ａ、５Ｂと離隔して平行に長く延びた回路５Ｃをたとえば形成し、この回路５Ｃに接続部１５を形成してもよい。さらに、アンテナ回路５の形状を適宜変更して、たとえば「Ｕ」字状やその他の形状にしてもよい。
【００６１】
さらにまた、図１１に示すように、接続部１３を回路５Ａの外側（回路５Ｂとは反対側）に設けてもよい。接続部１５についても同様に考えることができる。
【００６２】
また、図１２に示すように、同軸ケーブルに代えて、各導体が平行に設けられている平行ケーブル７Ｂ等を採用してもよい。この場合、接続部の位置は、上記平行ケーブル７Ｂの各導体の位置等に応じて適宜変更されるものとする。
【００６３】
［第２の実施形態］
図１３は、本発明の第２の実施形態に係るアンテナ３１の概略構成を示す図である。
【００６４】
アンテナ３１は、同軸ケーブル７の接続部が、アンテナ回路上に絶縁層によって形成されている点が、上記第１の実施形態に係るアンテナ１とは異なり、その他の点は、上記アンテナ１とほぼ同様に構成されている。
【００６５】
すなわち、アンテナ３１は、基材３を備え、この基材３の表面にアンテナ回路５が設けられている。このアンテナ回路５の表面には、上記アンテナ回路５に電力を供給するための同軸ケーブル７の各導体９、１１を接続するための各接続部３３、３５が設けられている。上記各接続部３３、３５は、上記アンテナ回路５の表面に被覆された絶縁層３７で形成され、上記各接続部３３、３５を識別することができるようになっている。この絶縁層３７は、たとえば、上記接続部３３、３５を除いた上記アンテナ回路５の全面および上記基材３のたとえば全面に設けられている。
【００６６】
上記同軸ケーブル７の中心導体９を接続するための上記接続部３３には、上記同軸ケーブル７の中心導体９を位置決めするための第１部位３３Ａと、上記中心導体９を上記接続部３３に堅固に固定するための第２部位３３Ｂとが設けられており、上記絶縁層３７が被覆された部位と上記接続部３３とを容易に識別可能になっている。また、上記同軸ケーブル７の外側導体１１を接続するための上記接続部３５には、上記同軸ケーブル７の外側導体１１を位置決めするための第１部位３５Ａと、上記外側導体１１を上記接続部３５に堅固に固定するための第２部位３５Ｂとが設けられており、上記絶縁層３７が被覆された部位と上記接続部３３とを容易に識別可能になっている。
【００６７】
ここで、上記絶縁層３７の色を、上記アンテナ回路５の色と異なる色（たとえばアンテナ回路が銅で形成されているのであれば緑色）にすれば、上各接続部３３、３５の認識が容易になる。
【００６８】
なお、上記絶縁層３７は、上記各接続部３３、３５を識別可能であれば、上記識別部を囲うように（この場合一部が途切れていてもよい）上記各接続部３３、３５の周辺部だけに設けられていてもよい。
【００６９】
また、アンテナ１の場合と同様に、アンテナ３１においては、接続部３３の上記第１部位３３Ａと上記第２部位３３Ｂは、上記接続部３３に接続される上記導体９の延伸方向に沿い並んで配置されて設けられており、上記第１部位３３Ａは、上記導体９の外径とほぼ同じ幅に形成されており、上記第２部位３３Ｂは、上記第１部位３３Ａよりも幅広く形成されている。同様に、接続部３５の上記第１部位３５Ａと上記第２部位３５Ｂは、上記接続部３５に接続される上記導体１１の延伸方向に沿い並んで配置されて設けられており、上記第１部位３５Ａは、上記導体１１の外径とほぼ同じ幅に形成されており、上記第２部位３５Ｂは、上記第１部位３５Ａよりも幅広く形成されている。
【００７０】
さらに、上記各接続部３３、３５は、台形状または三角形状に形成され、上記台形状の上底または上記三角形状の頂点が上記第１部位を形成し、上記台形状の下底側（上記上底よりも幅広く形成された下底側）または上記三角形状の底辺側が上記第２部位を形成している。
【００７１】
また、上記アンテナ回路５は、直線状に延びた第１回路５Ａとこの第１回路５Ａとほぼ平行に延びた第２回路５Ｂとを具備し、上記各接続部３３、３５は、上記第１回路５Ａと上記第２回路５Ｂとの中間部にそれぞれ設けられており、上記第１回路５Ａに設けられている第１接続部３３は、上述したように、三角形状または上底の幅が上記同軸ケーブル７の中心導体９の外径とほぼ同じである台形状に形成され、上記第２回路５Ｂに面した側に上記三角形状の頂点または上記台形状の上底が位置し、上記第２回路５Ｂとは反対側に上記三角形状の底辺または上記台形状の下底が位置するように設けられており、上記第２回路５Ｂに設けられている第２接続部３５は、上底の幅が上記同軸ケーブル７の外側導体１１の外径とほぼ同じである台形状に形成され、上記第１回路５Ａに面した側に上記台形状の上底が位置し、上記第１回路５Ａとは反対側に上記台形状の下底が位置するように設けられており、上記各接続部３３、３５は、これらの各接続部３３、３５に接続される上記同軸ケーブル７の延伸方向に沿い並んで配置されている。
【００７２】
アンテナ３１によれば、各接続部３３、３５がアンテナ回路５から突出して設けられていないので、上記アンテナ１の効果に加えて、基材３上に設けられたアンテナ回路等の形状を簡素にすることができる。また、絶縁層３７でアンテナ回路５の全面を覆うようにすれば、アンテナ回路５が傷つきにくくなる。
【００７３】
また、アンテナ３１によれば、各接続部３３、３５をアンテナ回路５から突出させて設けていないので、上記アンテナ回路５の上記第１回路５Ａと上記第２回路５Ｂとの間の間隔を狭くすることができ、より広範な共振周波数に対応可能なアンテナを設計でき、アンテナの設計の自由度が高くなる。なお、上記アンテナ１とほぼ同様にアンテナ３１（たとえば、アンテナ回路、接続部）の形態を適宜変更することができる。
【００７４】
［第３の実施形態］
図１４は、本発明の第３の実施形態に係るアンテナ５１の概略構成を示す図である。
【００７５】
アンテナ５１は、各接続部５３、５５が六角形状に形成されて点を除いては、第２の実施形態に係るアンテナ３１と同様に構成されている。
【００７６】
すなわち、アンテナ５１では、上記各接続部５３、５５は、互いの形状が同じであり上底の長さよりも下底の長さほうが長い２つの二等辺台形の各下底を互いに合わせて六角形状に形成され、上記六角形状を形成している上記２つの二等辺台形の各上底が第１部位（中心導体９や外側導体１１を位置決めするための部位）５３Ａ、５５Ａを形成し、上記六角形状を形成している上記２つの二等辺台形の下底側が上記第２部位（中心導体９や外側導体１１を位置決めするための部位）５３Ｂ、５５Ｂを形成している。
【００７７】
なお、アンテナ回路５の第１回路５Ａに設けられている第１接続部５３は、上底の幅が上記同軸ケーブル７の中心導体９の外径とほぼ同じである二等辺台形で六角形状に形成されており、第２回路５Ｂに設けられている第２接続部５５は、上底の幅が上記同軸ケーブル７の外側導体１１の外径とほぼ同じである二等辺台形で六角形状に形成されており、上記各接続部５３、５５は、これらの各接続部５３、５５に接続される上記同軸ケーブル７の延伸方向に沿い並んで配置されている。
【００７８】
アンテナ５１によれば、同軸ケーブル７の各導体９、１１を、これらの導体９、１１の延伸方向で互いに離隔した２箇所で、上記各接続部５３、５５に対して位置決めすることができるので、上記各導体９、１１を一層正確に位置決めすることができ、一層正確な共振周波数を得ることができる。
【００７９】
なお、図１５、図１６に示すように、接続部５３の形態を変更してもよい。
【００８０】
すなわち、図１５に示すように、接続部の形状をたとえば長方形状とし、中心導体９の延伸方向における上記接続部の両端部に、中心導体９を位置決めするための各部位５３Ｃを形成してもよい。また、図１６に示すように、接続部の形状をたとえば円形状とし、中心導体９の延伸方向における上記接続部の両端部に、中心導体９を位置決めするための各部位５３Ｃを形成してもよい。さらに接続部５５の形態を接続部５３と同様に変更してもよい。
【図面の簡単な説明】
【００８１】
【図１】本発明の第１の実施形態に係るアンテナの概略構成を示す図である。
【図２】図１におけるＩＩＡ−ＩＩＢ断面を示す図である。
【図３】図１におけるＩＩＩＡ−ＩＩＩＢ断面を示す図である。
【図４】図１におけるＩＶＡ−ＩＶＢ断面を示す図である。
【図５】図１におけるＶＡ−ＶＢ断面を示す図である。
【図６】アンテナ回路の延伸方向と同軸ケーブルの延伸方向とが直交していないアンテナの概略構成を示す図である。
【図７】同軸ケーブルの導体との接続部の形状の変形例を示す図である。
【図８】同軸ケーブルの導体との接続部の形状の変形例を示す図である。
【図９】同軸ケーブルの導体との接続部の形状の変形例を示す図である。
【図１０】アンテナ回路の形状が変更されたアンテナの概略構成を示す図である。
【図１１】同軸ケーブルの導体との接続部の位置が変更されたアンテナの概略構成を示す図である。
【図１２】平行ケーブルに接続されるアンテナの概略構成を示す図である。
【図１３】本発明の第２の実施形態に係るアンテナの概略構成を示す図である。
【図１４】本発明の第３の実施形態に係るアンテナの概略構成を示す図である。
【図１５】同軸ケーブルの導体との接続部の形状の変形例を示す図である。
【図１６】同軸ケーブルの導体との接続部の形状の変形例を示す図である。
【図１７】同軸ケーブルを接続するための接続部を備えた従来のアンテナの概略構成を示す図である。
【符号の説明】
【００８２】
１、３１、５１  アンテナ
３  基材
５  アンテナ回路
５Ａ  第１回路
５Ｂ  第２回路
７  同軸ケーブル
９  中心導体
１１  外側導体
１３、３３、５３  接続部
１３Ａ、３３Ａ、５３Ａ  第１部位
１３Ｂ、３３Ｂ、５３Ｂ  第２部位
１５、３５、５５  接続部
１５Ａ、３５Ａ、５５Ａ  第１部位
１５Ｂ、３５Ｂ、５５Ｂ  第２部位
【図１】
2005109795.tif 000003
【図２】
2005109795.tif 000004
【図３】
2005109795.tif 000005
【図４】
2005109795.tif 000006
【図５】
2005109795.tif 000007
【図６】
2005109795.tif 000008
【図７】
2005109795.tif 000009
【図８】
2005109795.tif 000010
【図９】
2005109795.tif 000011
【図１０】
2005109795.tif 000012
【図１１】
2005109795.tif 000013
【図１２】
2005109795.tif 000014
【図１３】
2005109795.tif 000015
【図１４】
2005109795.tif 000016
【図１５】
2005109795.tif 000017
【図１６】
2005109795.tif 000018
【図１７】
2005109795.tif 000019